(57)【要約】【課題】ゴルフクラブのシャフトに単純操作で三脚、雲台が脱着できると共にカメラ撮像時には前記シャフトを容易に立設保持して自画撮りすることができ携行時の煩わしさを解消することができる三脚を備えたカメラ用支持具を提供する。【解決手段】シャフト３のグリップ部４上端に脱着可能に装着される雲台８と、シャフトの下方を支持する三脚１８とを備え、雲台８は頂面に凹溝１２を形成し下端面にテーパ穴を形成した有底筒状のホルダ９を有し、三脚は、シャフト下方に脱着可能に挿通保持される主三脚１８ａと、主三脚直下のシャフト３に挿通保持されて主三脚の開閉動作と協働する補助三脚１８ｂとから成り、主三脚は、中央にシャフト３を挿通保持する挿通孔を有し外周に開閉脚上端を搖動可能に軸支する上部保持具１９を設け、補助三脚１８ｂは各開閉脚の中間に補助三脚１８ｂの上端を搖動可能に軸支すると共にそれらの下端を軸支する下部保持具２２を設けた。【選択図】図２
0003182620.tif 000002
【実用新案登録請求の範囲】
【請求項１】
ゴルフクラブからヘッドを取外したシャフトのグリップ部に脱着可能に装着される雲台と、前記シャフトの下方を略垂直に支持する三脚とを備え、
前記雲台は、頂面にスマートフォンを挿嵌保持する凹溝を形成すると共に下端面に前記グリップ部が挿嵌可能なテーパ穴を形成した有底筒状のホルダで構成され、
前記三脚は、シャフトの下方に脱着可能に挿通保持される主三脚と、該主三脚直下のシャフトに挿通保持されて前記主三脚の開閉動作と協働する補助三脚とから成り、
前記主三脚は、中央に前記シャフトを挿通保持する挿通孔を有すると共に外周に開閉脚の上端を搖動可能に軸支する上部保持具を設け、前記補助三脚は、中央に前記シャフトを挿通保持する挿通孔を有し前記各開閉脚の中間に補助脚の上端を搖動可能に軸支すると共にそれらの下端を軸支する下部保持具を設けたことを特徴とする三脚を備えたカメラ用支持具。
【請求項２】
前記雲台の凹溝にはブロック状の取付け具が脱着可能に挿嵌保持され、前記取付け具の上面にはカメラ下面のネジ孔に螺着可能なネジ軸が突設していることを特徴とする請求項１に記載の三脚を備えたカメラ用支持具。
【請求項３】
ヘッドを有するゴルフクラブシャフトのグリップ部に脱着可能に装着された雲台と、前記シャフトの下方を略垂直に立設保持する三脚とを備え、
前記雲台は、頂面にスマートフォンを挿嵌保持する凹溝を形成すると共に下端面に前記グリップ部が挿嵌可能なテーパ穴を形成した有底筒状のホルダで構成され、
前記三脚は、シャフトの下方に脱着可能に挿通保持される主三脚と、該主三脚直下のシャフトに挿通保持されて前記主三脚の開閉動作と協働する補助三脚とから成り、
前記主三脚は、外周から中央に臨む横溝の端部で前記シャフトを挿通保持すると共に外周に開閉脚の上端を搖動可能に軸支する上部保持具を設け、
前記補助三脚は、外周から中央に臨む横溝の端部で前記シャフトを挿通保持すると共に前記各開閉脚の中間に補助脚の上端を搖動可能に軸支し且つ前記補助脚の下端を搖動可能に軸支する下部保持具を設けたことを特徴とする三脚を備えたカメラ用支持具。
【請求項４】
前記雲台は、前記三脚によって略垂直に支持されるシャフトのグリップ部に延長シャフトを傾倒状態で脱着可能に挿嵌保持する第１雲台と、前記スマートフォンを搖動可能に挿嵌保持すべく前記延長シャフト上端のグリップ部に対し脱着可能に保持する第２雲台とから成り、
前記第１雲台は、頂面に凹溝を形成すると共に下端面に前記グリップ部が挿嵌可能なテーパ穴を形成した有底筒状のホルダと、前記凹溝に挿嵌保持され上面に挿通孔を形成した板状の第１ブラケットと、該第１ブラケットの挿通孔に搖動可能に軸支される第２ブラケット上部に前記延長シャフトを挿嵌保持する長溝を形成した延長シャフト装着具とを備え、
前記第２雲台は、頂面に凹溝を形成すると共に下端面に前記延長シャフトのグリップ部を挿嵌するテーパ穴を形成した有底筒状のホルダと、該ホルダの凹溝に挿嵌可能な板状の舌片を設け上面に前記舌片と直交する嵌合溝を形成した第３ブラケットと、該第３ブラケットの嵌合溝に搖動可能に挿嵌支持される突出片を備え上面にスマートフォンを挿嵌保持する凹溝を前記突出片と直交するよう形成したチルト支持台とから構成されることを特徴とする請求項１又は３の何れかに記載の三脚を備えたカメラ用支持具。
【考案の詳細な説明】
【技術分野】
【０００１】
本考案は、ゴルフクラブのシャフトに組込み可能な三脚を備えたカメラ用支持具に関する。
【背景技術】
【０００２】
最近では、カメラ（例えばスマートフォン）の発達により比較的安価にビデオ撮影ができるものが市販されており、ゴルフスイングの状態を自画撮りしたカメラの撮像を確認するために、カメラを自立支持する三脚付きカメラ用支持具が使用されている。
しかしながら、このようなカメラ用支持具は、ゴルフコース等の野外での撮影時に使用する際に大型のものでは携行が困難となる問題を有している。
このような携行時の煩わしさを解消したカメラ用支持具として、洋傘に三脚や雲台を一体に組込んだものが提案されている（例えば特許文献１参照）。
【０００３】
このカメラ用支持具は、洋傘の柄部内に設けた三脚収容体に３本の伸縮脚の端部を可動自在に軸支したものを収容し、三脚使用時には柄部から三脚引出柄を回転させたのち引出してロックし、各三脚を伸ばし開脚して地上に立てられる。
そして、地上に立設した洋傘の石突部に取付けられた雲台のカメラ取付けネジにはカメラが取付けられ、調節リングにより写角を調整し調整リングを締めて固定される。
【０００４】
使用後は、伸縮脚を折り畳んだ状態で三脚引出柄を逆回転させてロックを解除し、そのまま柄部を内部に押し込んだのち回転ロックさせて三脚を収納し、雲台にはキャップを被せることで通常の洋傘として使用できる。
このように構成することで、本来は別々に携行されていた洋傘とカメラ用三脚を合体させることで雨天時などにカメラ用支持具を携行する煩わしさを解消している。
【先行技術文献】
【特許文献】
【０００５】
【特許文献１】登録実用新案第３１３８８１２号公報
【考案の概要】
【考案が解決しようとする課題】
【０００６】
ところで、特許文献１に記載される三脚を備えたカメラ用支持具は、伸縮可能な三脚を洋傘の柄部に収納した構成となっているため、洋傘としては柄部が重くなる難点を有するだけでなく降雨時または降雨予想時には別の傘を用意しなければならず、カメラ用支持具携行の煩わしさを解消したとは言い難い。
【０００７】
本考案は、上述した事情に鑑みてなされたもので、ゴルフクラブのシャフトに単純操作で三脚、雲台が脱着できると共にカメラ撮像時には前記シャフトを容易に立設保持して自画撮りすることができ携行時の煩わしさを解消することができる三脚を備えたカメラ用支持具を提供することを目的とする。
【課題を解決するための手段】
【０００８】
本考案に係る三脚を備えたカメラ用支持具では、上記課題を解決するために以下の手段を採用した。
本考案に係る三脚を備えたカメラ用支持具は、ゴルフクラブからヘッドを取外したシャフトのグリップ部に脱着可能に装着される雲台と、前記シャフトの下方を略垂直に支持する三脚とを備え、前記雲台は、頂面にスマートフォンを挿嵌保持する凹溝を形成すると共に下端面に前記グリップ部が挿嵌可能なテーパ穴を形成した有底筒状のホルダで構成され、
前記三脚は、シャフトの下方に脱着可能に挿通保持される主三脚と、該主三脚直下のシャフトに挿通保持されて前記主三脚の開閉動作と協働する補助三脚とから成り、前記主三脚は、中央に前記シャフトを挿通保持する挿通孔を有すると共に外周に開閉脚の上端を搖動可能に軸支する上部保持具を設け、前記補助三脚は、中央に前記シャフトを挿通保持する挿通孔を有し前記各開閉脚の中間に補助脚の上端を搖動可能に軸支すると共にそれらの下端を軸支する下部保持具を設けたことを特徴とする。
【０００９】
本考案によれば、ゴルフクラブのヘッドを取り外したシャフトの下方を三脚により脱着可能に挿通して立設支持することができる。また、雲台を構成するホルダの下端面にはテーパ穴が形成されているので、グリップ部外径の大小に関わらずテーパ穴の軸方向に挿入して行くことでテーパ穴の内周に接触したグリップ部外周の任意の部分が押圧圧縮される。これにより、雲台はグリップ部に安定状態で保持することができる。
これにより自画撮りする際には前記シャフトを容易に立設保持することができ、グリップ部に装着した雲台の凹溝には、スマートフォンを挿嵌するだけで安定保持することができるので、位置合わせ操作などを簡略化することができる。
また、前記三脚は、上下の保持具からシャフトを軸方向に移動させることで容易に脱着することができ、シャフトとは別体にされた三脚は小さく折り畳むことでコンパクト化されるので携行時の煩わしさを解消することができる。
【００１０】
前記雲台の凹溝にはブロック状の取付け具が脱着可能に挿嵌保持され、前記取付け具の上面にはカメラ下面のネジ孔に螺着可能なネジ軸が突設していることを特徴とする。
これにより、スマートフォンに代えてカメラを雲台のホルダに取付ける際は、ホルダ頂面の凹溝に取付け具を挿嵌するだけで（例えばネジや弾性体など）の押圧力により安定状態で装着することができる。
また、凹溝に装着したブロック状の取付け具にカメラ（デジタルカメラまたはビデオカメラ）を取付ける際は、取付け具のネジ軸を前記カメラ下面のネジ孔に螺着することで容易に装着することができる。
【００１１】
ヘッドを有するゴルフクラブシャフトのグリップ部に脱着可能に装着された雲台と、前記シャフトの下方を略垂直に立設保持する三脚とを備え、前記雲台は、頂面にスマートフォンを挿嵌保持する凹溝を形成すると共に下端面に前記グリップ部が挿嵌可能なテーパ穴を形成した有底筒状のホルダで構成され、  前記三脚は、シャフトの下方に脱着可能に挿通保持される主三脚と、該主三脚直下のシャフトに挿通保持されて前記主三脚の開閉動作と協働する補助三脚とから成り、  前記主三脚は、外周から中央に臨む横溝の端部で前記シャフトを挿通保持すると共に外周に開閉脚の上端を搖動可能に軸支する上部保持具を設け、前記補助三脚は、外周から中央に臨む横溝の端部で前記シャフトを挿通保持すると共に前記各開閉脚の中間に補助脚の上端を搖動可能に軸支し且つ前記補助脚の下端を搖動可能に軸支する下部保持具を設けたことを特徴とする。
【００１２】
本考案によれば、主三脚の上部保持具ないし補助三脚の下部保持具には、シャフトを横方向から脱着可能とする横溝が外周から中央に臨むように形成されている。これにより、シャフトとなるゴルフクラブのシャフトがヘッドを有している場合でも、シャフトを前記横溝の端部まで移動するだけで、前記シャフトを横溝の端部に上下方向に挿通保持することができる。
このように前記シャフトは、上部保持具ないし下部保持具の横溝に横方向から容易に脱着することができるので組立作業の単純化を図ることができる。
【００１３】
前記雲台は、前記三脚によって略垂直に支持されるシャフトのグリップ部に延長シャフトを傾倒状態で脱着可能に挿嵌保持する第１雲台と、前記スマートフォンを搖動可能に挿嵌保持すべく前記延長シャフト上端のグリップ部に対し脱着可能に保持する第２雲台とから成り、前記第１雲台は、頂面に凹溝を形成すると共に下端面に前記グリップ部が挿嵌可能なテーパ穴を形成した有底筒状のホルダと、前記凹溝に挿嵌保持され上面に挿通孔を形成した板状の第１ブラケットと、該第１ブラケットの挿通孔に搖動可能に軸支される第２ブラケット上部に前記延長シャフトを挿嵌保持する長溝を形成した延長シャフト装着具とを備え、前記第２雲台は、頂面に凹溝を形成すると共に下端面に前記延長シャフトのグリップ部を挿嵌するテーパ穴を形成した有底筒状のホルダと、該ホルダの凹溝に挿嵌可能な板状の舌片を設け上面に前記舌片と直交する嵌合溝を形成した第３ブラケットと、該第３ブラケットの嵌合溝に搖動可能に挿嵌支持される突出片を備え上面にスマートフォンを挿嵌保持する凹溝を前記突出片と直交するよう形成したチルト支持台とから構成されることを特徴とする。
これにより、専用の三脚を用いて略垂直に支持したヘッドを外したシャフト又はヘッドを備えたシャフトのグリップ部に第１雲台を脱着可能に装着することで、前記第１雲台に延長シャフトを搖動可能に保持することができる。また、前記延長シャフトの上端に第２雲台を搖動可能に保持することで、上方から撮影するスマートフォンを第２雲台に脱着可能に装着することができる。
従って、延長シャフトの上端に装着された第２雲台となるチルト支持台に装着されたスマートフォンは、３次元方向に搖動可能に保持されることから被写体の上方から撮影することができるので、ゴルフスイングの撮影領域を大幅に拡大することができる。
例えば、被写体となるゴルフプレイヤーがスイングしたクラブヘッドがゴルフボールに当たる瞬間をスロー送りやコマ送りで撮影することで、ゴルフスイングの解析を行うことができる。
また、カメラにより自画撮りが完了した際、または自画撮り前においてもカメラ用支持具と三脚を別体に切り離すことができる構成となっており、三脚自体は小さく折り畳むことができるので携行時における煩わしさを解消することができる。
【考案の効果】
【００１４】
本考案によれば、三脚を備えたカメラ用支持具がゴルフクラブのヘッドを取外したシャフト、或いはヘッドを有するゴルフクラブのシャフトに専用の三脚、並びに雲台を脱着可能に装着することができる。
これにより、ゴルフスイング状態を自画撮りする際には単純操作により三脚を組み立てて前記シャフトを地上または床面に垂直に立設保持すると共に、前記シャフトのグリップ部に挿嵌した雲台にはカメラ（またはスマートフォン）を容易に取付けることができる。
カメラ用支持具の使用後は、ゴルフクラブのシャフトから三脚、雲台を容易に取外すことができ、別体化することでコンパクトになり携行時の煩わしさを解消することができる。
また、カメラ位置を上方に配置して自画撮りする際は、垂直に立設保持したシャフトのグリップ部に挿嵌保持される第１雲台に加え、傾斜状態で挿嵌保持される延長シャフトのグリップ部にスマートフォンを挿嵌保持する第２雲台をチルト支持台により傾動することができる。
これにより、カメラを３次元方向に搖動することができるのでゴルフプレイヤー上方からの広範囲な撮影が可能となり、例えば、対象となる被写体となるゴルフプレイヤーがスイングするクラブヘッドがゴルフボールに当たる瞬間をスロー送りやコマ送りで撮影することができ、ゴルフスイングの解析を行うことができる。      
【図面の簡単な説明】
【００１５】
【図１】本考案の第一実施形態に係り、三脚を備えたカメラ用支持具にスマートフォンを装着してスイング状態を撮像する状態を示す全体斜視図である。
【図２】同じく三脚を備えたカメラ用支持具を上方から見た斜視図である。
【図３】同じくカメラ用支持具の三脚を示す部分拡大斜視図である。
【図４】同じく（Ａ）は、三脚を備えたカメラ用支持具の上部保持具の平面図、（Ｂ）は（Ａ）の一部断面を示す部分側面図である。
【図５】同じくスマートフォンが挿嵌保持された状態であってシャフトのグリップ部に装着した雲台の一部断面を示す側面図である。
【図６】同じく雲台の凹溝に装着したブロック状取付け具のネジ軸にカメラを螺着する状態を示す分解組立斜視図である。
【図７】本考案の第二実施形態に係り、（Ａ）は、三脚を備えたカメラ用支持具の上部保持具の平面図、（Ｂ）は（Ａ）の一部断面を示す部分側面図である。
【図８】同じく三脚により略垂直に立設支持したシャフト上端の第１雲台に延長シャフトを傾斜状態で挿嵌保持し、延長シャフト上端の第２雲台に挿嵌保持したスマートフォンによりスイング状態を上方から撮像する状態を示す全体斜視図である。
【図９】同じくシャフトのグリップ部に挿嵌保持されたホルダの凹溝に挿嵌保持される第１雲台の分解組立斜視図である。
【図１０】同じく延長シャフトのグリップ部に保持されるホルダの凹溝にスマートフォンを搖動可能に挿嵌保持する第２雲台の分解組立斜視図である。
【考案を実施するための形態】
【００１６】
以下、本考案の第一実施形態に係る三脚を備えたカメラ用支持具について図１〜図６を参照して説明する。
図１は三脚を備えたカメラ用支持具にスマートフォンを装着してスイング状態を撮像する状態を示す全体斜視図、図２は三脚を備えたカメラ用支持具を上方から見た斜視図、図３はカメラ用支持具の三脚を示す部分拡大斜視図、図４（Ａ）は、三脚を備えたカメラ用支持具の上部保持具の平面図、（Ｂ）は（Ａ）の一部断面を示す部分側面図、図５はスマートフォンが挿嵌保持された状態であってシャフトのグリップ部に装着した雲台の一部断面を示す側面図、図６は雲台の凹溝に装着したブロック状取付け具のネジ軸にカメラを螺着する状態を示す分解組立斜視図である。
【００１７】
（第一実施形態）
本考案に係る三脚を備えたカメラ用支持具１（以下カメラ用支持具と称する）は、図１に示すようにゴルプレイヤーＰが自らゴルフボールＢをショットする際のスイング状態をカメラ（例えばスマートフォン）ＳＭで自画撮りする際に地面または床面上に設置した三脚に支柱を略垂直に立設して使用される。
【００１８】
この場合、カメラ用支持具１は、カメラを所定高さで支持する必要があるため、例えばヘッドを取外した使用済みのゴルフクラブ２のシャフト３を支柱として使用されている。
このカメラ用支持具１は、図２に示すようにシャフト３と、該シャフト３のグリップ部４上端に脱着可能に装着される雲台８と、シャフト３の下方を保持する三脚１８を備えている。
【００１９】
雲台８は、図５に示すように頂面にスマートフォンの厚みより僅かに広い凹溝１２が形成されると共に、下端面には緩い角度のテーパ穴を形成した有底筒状のホルダ９で構成される。
前記テーパ穴１０は、弾性を備えたゴム製のグリップ部４上端に挿嵌可能であって挿入の際は、ゴム製のグリップ部４上端外周面が緩い角度のテーパ穴内面により軸方向から押圧力を加えることで弾力的に保持される。
テーパ穴１０は、ゴルフクラブの種類によってグリップ部４の外径に差異があってもテーパ穴の内径をグリップ部の最大径より大きく形成することでテーパ穴１０に挿入したグリップ部４外径の何れかがテーパ穴１０内径に圧接保持されるようになっている。
【００２０】
このように、テーパ穴１０を形成することによりグリップ部４の外径に差異がある場合でも、グリップ部４をテーパ穴１０の軸方向に挿入することでテーパ穴１０内周壁の何れかが圧接保持されるのでホルダ９を安定状態で保持することができる。
また、ホルダ９上端の外周側面には、凹溝１２に直交方向から連通するネジ孔１４が形成されると共に、このネジ孔１４にロックハンドルＨのネジ軸を螺着することで凹溝１２に挿嵌されたスマートフォンＳＭの下端側面がしっかり押圧保持される。
なお前記ネジ孔１４は、これに限らず弾性変形可能な弾性体を装着することもでき、凹溝１２に挿嵌した弾性力を有するクリップでスマートフォンＳＭを装着することもできる。
【００２１】
次に図３、図４を参照して三脚１８に付き説明する。シャフト３の下方に脱着可能に装着される三脚１８は、主三脚１８ａと、主三脚１８ａ直下のシャフト３に挿通保持されて主三脚１８ａの開閉動作と連携して協働する補助三脚１８ｂとから構成されている。
主三脚１８ａは、三本の開閉脚２５ａ，２５ｂ，２５ｃを備え、中央に前記シャフト３を挿通保持する挿通孔２３を有すると共に外周には夫々の開閉脚２５ａ，２５ｂ，２５ｃ上端を支軸２７により搖動可能に軸支する上部保持具１９を備えている。
【００２２】
補助三脚１８ｂは、各開閉脚２５ａ，２５ｂ，２５ｃの中間に三本の補助脚２６ａ，２６ｂ，２６ｃの上端が搖動可能に軸支されると共にそれらの下端を軸支する下部保持具２２を備えている。
この場合、上記開閉脚２５ａ，２５ｂ，２５ｃ及び補助脚２６ａ，２６ｂ，２６ｃには、断面コ字型の軽量型鋼（例えばアルミ合金）が使用されており脚部の軽量化を図っている。
【００２３】
上部保持具１９は、肉厚のアルミニウム製円板で形成されており上部保持具１９の外周には開口溝１９ａ，１９ｂ，１９ｃが均等に（例えば３等配で）形成されており、これら開口溝１９ａ，１９ｂ，１９ｃには三本の開閉脚２５ａ，２５ｂ，２５ｃ上端が挿嵌され支軸２７により搖動可能に支持されている。
前記上部保持具１９の外周側面には、挿通孔２３に連通するネジ孔Ｔが形成されており、このネジ孔Ｔにはシャフト３の側面をロックネジにより押圧保持するロックハンドルＨ１が螺着されている。
【００２４】
下部保持具２２も同様にアルミニウム製の円板で形成されており、下部保持具２２の外周には開口溝２２ａ，２２ｂ，２２ｃが３等配で形成されており、各開閉脚２５ａ，２５ｂ，２５ｃの中間に三本の補助脚２６ａ，２６ｂ，２６ｃの上端が搖動可能に軸支されると共にそれらの下端は開口溝２２ａ，２２ｂ，２２ｃに動可能に軸支されている。
【００２５】
下部保持具２２の外周側面には、挿通孔２４に連通するネジ孔（不図示）が形成されており、このネジ孔にはシャフト３を側面から押圧保持するロックハンドルＨ２のネジ軸が螺着されている。
尚、前述した三脚ないし第１雲台を構成する材料は軽量合金（例えばアルミニウム）で構成されることが好ましいが、これに限らずある程度強度を有するプラスチックまたは木材などで構成することもできる。
【００２６】
次に、上記ように構成された第１実施形態に係るカメラ用支持具１の組立操作に付き図１から図６を参照して説明する。
図２に示すカメラ用支持具１は、ヘッドを取外したゴルフクラブ２のシャフト３が三脚１８により支持された状態で略垂直に立設保持されており、グリップ部４にはスマートフォンＳＭを挿嵌保持するホルダ９が装着されている。
【００２７】
先ず、組立に際し三脚１８は、図３に示すように主三脚１８ａの三本の開閉脚２５ａ，２５ｂ，２５ｃを外方に開放すると、開閉脚２５ａ，２５ｂ，２５ｃの開放動作に連携して補助三脚１８ｂの三本の補助脚２６ａ，２６ｂ，２６ｃも開放する。
三脚１８が開放状態で地面または床面上に立設されると、上部保持具１９の挿通孔２３ないし下部保持具２２の挿通孔２４にシャフト３を上方から挿通し、高さ方向の位置決めがされた状態でロックハンドルＨ１により上部保持具１９をシャフト３に装着保持する。
【００２８】
次いで、上部保持具１９直下の下部保持具２２も挿通孔２４を挿通したシャフト３を所定高さ位置でロックハンドルＨ２によりロックすることで三本の補助脚２６ａ，２６ｂ，２６ｃの開放度合いが決定される。
三脚１８によって立設保持されたシャフト３は、ゴム製のグリップ部４上端に第１雲台となるホルダ９が上方から挿嵌されると、ホルダ９に形成された緩い角度のテーパ穴によってグリップ部４の頂部周縁が押圧されて弾性変形した状態で立設保持される。
【００２９】
このようにホルダ９が立設保持されると、図５に示すように頂面に形成した凹溝１２に挿嵌保持されたスマートフォンＳＭは、ロックハンドルＨを回転操作することでホルダ９外側面から挿通螺着した止めネジにより圧着状態で保持される。
一方、図６に示すようにホルダ９の凹溝１２にデジタルカメラＣを取付ける場合は、ブロック状の取付け具２０を凹溝１２内に挿嵌したのち前記止めネジにより押圧保持し、取付け具２０上面より突出したネジ軸２１をカメラＣ底面の雌ネジに螺着して固定する。
これにより、図１、図２に示すようにカメラ用支持具１が地面または床面に立設保持されるとゴルフプレイヤーＰ自身により自画撮りすることができる。
【００３０】
次に撮影が終了した場合は、ロックハンドルＨを回して止めネジを緩め、雲台８のホルダ９の凹溝１２からスマートフォンＳＭまたはカメラＣを取外し、ホルダ９がグリップ部４から上方に抜き出されると、図３に示すように三脚１８のロックハンドルＨ１、Ｈ２を回しシャフト３のロックを解除することで、主三脚１８ａないし補助三脚１８ｂの上部保持具１９および下部保持具２２の挿通孔２３、２４からシャフト３を上方へ抜き出すことで別体化することができる。
【００３１】
このようにカメラ用支持具１では、自画撮りする際は容易に組立てることができると共に、自画撮りが終了した後は雲台８及び三脚１８をシャフト３から抜き出すことで容易に別体化することができ、三脚も小さく折り畳むことでコンパクトになり全ての構成部材を一体に束ねて持ち運ぶことができるので、携行時の煩わしさを解消することができる。
【００３２】
また三脚１８は、地面または床面の段差や傾斜状況に応じてシャフト３に対する主三脚１８ａ並びに補助三脚１８ｂの高さを適正に調整することができ、且つ撮影終了後はグリップ４側からシャフト３を軸方向に移動することで簡単に取外すことができるので、コンパクトとなり携行時の煩わしさを解消することができる。
更に、スマートフォンＳＭに代えて例えばデジタルカメラＣを雲台８に取付ける際は、凹溝１２に装着した取付け具２０のネジ軸２１をデジタルカメラＣ下面のネジ孔に螺着することで容易に装着することができる。
【００３３】
（第二実施形態）
次に、本考案の第二実施形態に係る三脚を備えたカメラ用支持具５０（以下カメラ用支持具と称する）に付き図７〜図１０を参照して説明する。尚、前述した第１実施形態と同一構造は同一符号を付して説明を省略する。
【００３４】
図７（Ａ）は、三脚を備えたカメラ用支持具における上部保持具の平面図、（Ｂ）は（Ａ）の一部断面を示す部分側面図、図８は三脚により略垂直に立設支持したシャフト上端の第１雲台に延長シャフトを傾斜状態で挿嵌保持し、延長シャフト上端の第２雲台に挿嵌保持したスマートフォンによりスイング状態を上方から撮像する状態を示す全体斜視図、図９はシャフトのグリップ部に挿嵌保持されたホルダの凹溝に挿嵌保持される第１雲台の分解組立斜視図、図１０は延長シャフトのグリップ部に保持されるホルダの凹溝にスマートフォンを搖動可能に挿嵌保持する第２雲台の分解組立斜視図である。
【００３５】
図８において本実実施形態に係るカメラ用支持具５０は、ゴルプレイヤーＰがゴルフボールＢをショットする際のスイング状態を上方から撮影する際に使用される。
すなわち、カメラ用支持具５０は、ヘッド５４を有するゴルフクラブ５２のシャフト５３を三脚５６により略垂直に立設した支柱とし、前記シャフト５３上端に設けた第１雲台８Ａに延長シャフト装着具６５を介して延長シャフト７９を傾倒状態で保持し、この延長シャフト７９の上端に設けた第２雲台８Ｂにカメラ（スマートフォン、デジタルカメラ又はビデオカメラ等）を保持するように構成したものである。
【００３６】
詳しくは、三脚５６により地面または床面上に略垂直に立設したシャフト５３のグリップ部４には、第１実施形態で使用した雲台８に代えて延長シャフト７９を傾倒状態で保持することができる第１雲台８Ａが使用されており、第１雲台８Ａには延長シャフト装着具６５が搖動可能に装着されている。
【００３７】
延長シャフト装着具６５の本体６６上面に形成された長溝６８に挿嵌保持される延長シャフト７９上端のグリップ部４にはホルダ９を介して第２雲台８Ｂが装着されており、この第２雲台８ＢにはスマートフォンＳＭが装着されている。
ここで使用されるシャフト５３ないし延長シャフト７９には、ヘッド５４，８０を有するゴルフクラブ５２，７８が利用されている。尚、シャフト５３ないし延長シャフト７９はゴルフクラブに限るものではなく棒状のものでも良い。
【００３８】
以下、カメラ用支持具５０に付き更に詳細に説明する。
先ず、カメラ用支持具５０の三脚５６に付き図７（Ａ），（Ｂ）及び図８を参照して説明する。
図７、図８において三脚５６は、シャフト５３の下方に脱着可能に装着される主三脚５６ａと、主三脚５６ａ直下のシャフト５３に挿通保持されて前記主三脚５６ａの開閉動作と連携して協働する補助三脚５６ｂとから構成されている。
【００３９】
主三脚５６ａは、外周側面からシャフト５３が横方向に挿入可能で中央部でシャフト５３を上下方向に挿通保持する横溝４４を備え、外周に三本の開閉脚４５ａ，４５ｂ，４５ｃ上端を搖動可能に軸支する上部保持具４０を備えている。
上部保持具４０の外周には開口溝４２ａ、４２ｂ，４２ｃが均等に（例えば三等配で）形成されており、これら開口溝４２ａ、４２ｂ，４２ｃには開閉脚４５ａ、４５ｂ，４５ｃの上端が支軸４６により搖動可能に軸支されている。
補助三脚５６ｂは、上部保持具４０と略同一構造の下部保持具４１（図７、図８参照）が使用されるので説明は省略するが、下部保持具４１に形成される横溝４４の端部には前記シャフト５３の下方が略垂直状態で挿通保持される。前記各開閉脚４５ａ、４５ｂ，４５ｃの中間には図３に示す補助脚と同一構造の補助脚２６ａ，２６ｂ，２６ｃの上端が搖動可能に軸支され且つ前記補助脚の下端は前記下部保持具４１の外周に搖動可能に軸支されている。
尚、第２実施形態で説明した三脚５６は、ヘッド５４を有するシャフト５３専用の三脚５６について説明したが、これに限らず第１実施形態で説明したようにヘッドを取外したシャフト３を使用することもできる。もちろん、ヘッドを取外したシャフト３を使用する場合には専用の三脚１８を用いることもできる。
【００４０】
次に雲台に付き図９、図１０を参照して説明する。
図９に示す第１雲台８Ａは、頂面に凹溝を形成すると共に下端面にシャフト５３のグリップ部９が挿嵌可能なテーパ穴１０を形成した有底筒状のホルダ９と、該ホルダ９頂面に形成された凹溝１２に挿嵌保持され上部に前記凹溝１２と直交する挿通孔６２を設けた板状の第１ブラケット６０と、上面に延長シャフト７９を挿嵌保持する長溝６８を形成すると共に下面に第１ブラケット６０の挿通孔６２に軸支される第２ブラケット７２を設けた延長シャフト装着具６５とを備えている。
前記長溝６８の片側面に形成される傾斜面７４の一部には前記長溝６８に挿通するネジ孔７６が螺設されており、延長シャフト装着具６５は、挿通孔６２，７０を挿通する支軸（不図示）により搖動可能に支持されている。
【００４１】
図１０に示す第２雲台８Ｂは、頂面に凹溝１２を形成すると共に下端面にグリップ部が挿嵌可能なテーパ穴１０を形成した有底筒状のホルダ９と、このホルダ９頂面の凹溝１２に挿嵌可能な板状の舌片８６を下面に設けると共に上面に前記舌片８６と同方向を向く嵌合溝８４を設け、この嵌合溝８４に直交する挿通孔８５を形成した第３ブラケット８２と、前記嵌合溝８４に挿嵌可能であって挿通孔８５に対応する挿通孔９４を形成した突出片９２を下面に備え、挿通孔８５、９４に挿通した支軸（不図示）を介して搖動可能に挿通支持されるチルト支持台８８とから構成され、チルト支持台８８の上面にはスマートフォンＳＭを挿嵌保持する凹溝９０が挿通孔９４方向に向けて形成されている。
【００４２】
前記チルト支持台８８の上方側面には、凹溝９０に挿通するネジ孔９５が形成されており、ネジ孔９５に止めネジを螺着することでスマートフォンを側面から押圧保持することができる。
【００４３】
次に、上記のように構成された第二実施形態に係るカメラ用支持具５０の組立操作に付き図７〜図１０を参照して説明する。
先に、組立操作の概略を説明する。カメラ用支持具５０は、図８に示すようにヘッドを有するゴルフクラブ５２のシャフト５３が三脚５６により略垂直に立設保持されると、シャフト５３上端の第１雲台８Ａに延長シャフト装着具６５が搖動可能に支持される。
【００４４】
延長シャフト装着具６５には延長シャフト７９が傾斜状態で保持され、該延長シャフト７９上端のグリップ部に４に保持されたホルダ９の凹溝１２にはスマートフォンＳＭを搖動可能に保持する第２雲台８Ｂが装着される。
そこで、延長シャフト装着具６５に保持された延長シャフト７９の前後方向ないし傾斜角度を調整しつつ第２雲台８Ｂを上下に移動し、チルト支持台８８の搖動角度を調整することでスマートフォンＳＭの概略位置が設定されると組立操作が完了する。
【００４５】
チルト支持台８８は、撮影時にスマートフォンＳＭが被写体を向くようにチルト支持台８８の角度を調整した上で位置決めされると撮影の準備が完了する。
この場合、延長シャフト装着具６５に保持される延長シャフト７９は、第２雲台８Ｂを上方に延設する場合にゴルフクラブ７８のヘッド８０によりカウンターバランス効果が得られるので安定状態で保持することができる。
【００４６】
次に、図７（Ａ），（Ｂ）を参照して三脚５６の分解、組立操作に付き説明する。
図７（Ａ），（Ｂ）において三脚５６の主三脚５６ａとなる三本の開閉脚４５ａ，４５，４５ｃを開放して地面または床面上に立設状態で設置する。同様に補助三脚５６ｂも開放して設置される。
【００４７】
この状態で、上部保持具４０及び下部保持具４１の外周から横溝４４の端部、すなわち上下保持具４０，４１の中央部までシャフト５３が挿入されると、前記上下保持具４０，４１はロックハンドルＨ１を介して前記シャフト５３に上下方向移動不能に押圧保持される。
このように、横溝４４の端部まで挿入されたシャフト５３は、ロックハンドルＨ１により押圧されて前記横溝４４端部の凹溝４４ａに位置決め保持され、同時に高さ方向も位置決め保持することができる。
【００４８】
次に、シャフト５３上端のグリップ部４に保持される第１雲台８Ａの組立操作につき図９を参照して説明する。
図９において、ホルダ９の頂面に形成された凹溝１２に板状の第１ブラケット６０が挿嵌保持されると、この第１ブラケット６０の両面を第２ブラケット７２の間で挟むように嵌め込み、共通の挿通孔６２，７０に挿通保持した支軸（不図示）により延長シャフト装着具６５を搖動可能に保持し、傾斜角度を所定の被写体方向に向けて位置決めする。
【００４９】
次いで、延長シャフト７９上端に保持される第２雲台８Ｂの組立操作につき図１０を参照して説明する。
図１０において、延長シャフト装着具６５の長溝６８に延長シャフト７９が挿嵌されると、ネジ孔７６に螺挿した止めネジ（不図示）により確実に押圧保持される。
次に、延長シャフト７９上端のグリップ部４にホルダ９が挿嵌保持されると、ホルダ９頂面の凹溝１２に第３ブラケット８２の舌片８６が挿嵌される。
第３ブラケット８２上面の嵌合溝８４にチルト支持台８８下面の突出片９２が挿嵌されると、第３ブラケット８２と突出片９２の挿通孔８５，９４に図示しない支軸が挿通され、支軸を中心とする搖動角度が決まったところで角度の位置決めをする。
【００５０】
搖動角度を決める際は、チルト支持台８８上面の凹溝９０にスマートフォンＳＭを挿嵌保持した状態で、被写体が撮像可能な位置にあるか否かを確認しながら調整することで正確な位置決めをすることができる。
このように構成された第二実施形態に係るカメラ用支持具５０は、延長シャフト７９上端の第２雲台８Ｂに保持されるチルト支持台８８が傾動可能に保持されているので、上方に配置したスマートフォンＳＭを３次元方向にも位置決めすることができ、例えばゴルフスイングの撮影領域を拡大することができる。
例えば、対象となる被写体となるゴルフプレイヤーＰがスイングしたクラブヘッドがゴルフボールＢに当たる瞬間をスロー送りやコマ送りで撮影することができ、ゴルフスイングの解析を行うことができる。
【００５１】
また、ヘッドを有する２本のゴルフクラブを利用することで、特別の支柱部材を準備する必要もないので、部品点数を削減できると共に三脚５６や第１雲台８Ａ，第２雲台８Ｂの組立作業も極めて容易となる。また、不要時にはゴルフクラブとは別体にされた三脚を小さく折り畳むことでコンパクト化することができ、例えばカメラ用支持具を構成する全ての部材をベルトなどで束ねて一体化すれば持ち運びが容易になり、携行時の煩わしさを解消することができる。
【符号の説明】
【００５２】
１，５０…カメラ用支持具、２，５２…ゴルフクラブ、３，５３…シャフト、４…グリップ部、８…雲台、８Ａ…第１雲台、８Ｂ…第２雲台、９…ホルダ、１０…テーパ穴、１２…凹溝、１４…ネジ孔、１８…三脚、１８ａ，５６ａ…主三脚、５６ｂ，１８ｂ…補助三脚、１９，４０…上部保持具、１９ａ，１９ｂ，１９ｃ…開口溝、２０…ブロック状の取付け具、２３，２４…挿通孔、２２，４１…下部保持具、２２ａ，２２ｂ，２２ｃ…開口溝、２５ａ，２５ｂ，２５ｃ…開閉脚、２６ａ，２６ｂ，２６ｃ…補助脚、４４…横溝、４５ａ，４５ｂ，４５ｃ…開閉脚、５４，８０…ヘッド、６０…第１ブラケット、６２，７０，８５，９４…挿通孔、６５…延長シャフト装着具、６８…長溝、７２…第２ブラケット、７６，９５…ネジ孔、７９…延長シャフト、８２…第３ブラケット、８４…嵌合溝、８８…チルト支持台、９０…凹溝、９２…突出片、Ｃ…デジタルカメラ、ＳＭ…スマートフォン、Ｔ…ネジ孔
【図１】
0003182620.tif 000003
【図２】
0003182620.tif 000004
【図３】
0003182620.tif 000005
【図４】
0003182620.tif 000006
【図５】
0003182620.tif 000007
【図６】
0003182620.tif 000008
【図７】
0003182620.tif 000009
【図８】
0003182620.tif 000010
【図９】
0003182620.tif 000011
【図１０】
0003182620.tif 000012